(57)【要約】      （修正有）【課題】パウチに貯留された尿廃棄の容易性と、パウチ位置安定化が得られる着衣を提供する。【解決手段】ズボン形着衣であるパジャマ本体１の前面適所にスリット２を斜方に設けたことを特徴とする。【選択図】図３
0003208166.tif 000002
【実用新案登録請求の範囲】
【請求項１】
ズボン形着衣の前面適所にスリットを斜方に設けたことを特徴とするパウチ保持機能を有する着衣。
【請求項２】
スリットを着衣正面視にて左寄りの位置に設けてなる請求項１記載のパウチ保持機能を揺する着衣。
【請求項３】
スリットを着衣の水平方向に対し、正面視における側方に向かって１５度から２５度の範囲に設けてなる請求項１または２記載のパウチ保持機能を有する着衣。
【考案の詳細な説明】
【技術分野】
【０００１】  この考案は、パウチ（ストーマ袋）の保持機能を有するパジャマ等の着衣に関する。
【背景技術】
【０００２】  従来より、多様な着衣が利用されているが、本案にて示すように、パウチの保持機能を有するものは見当たらない。
【考案の概要】
【考案が解決しようとする課題】
【０００３】  大腸がんや膀胱がんあるいは炎症性腸疾患などのため、便や尿の排泄経路を変更して腸部を設けた穴（ストーマ）から排泄物を出し、このストーマを覆うように肌に貼り付けたパウチで排泄物を受けて処理しているのがオストミー患者である。
人工的に作られた排泄口は、括約筋がないために自分の意志で開け閉めができず、出っぱなしの排泄物を受けて溜めるパウチなしでは普通の生活が送れない。
パウチは粘着式で人体に貼り付けて用い、皮膚の生理的な機能を損なわないように、皮膚と同程度のペーハーが用いられている。
尿廃棄の場合は、パウチ下部の管体からキャップを外し、トイレにて尿廃棄を行う。
なお、就寝時は夜間に何度もトイレに通わなくてすむように、パウチ下部の管体にウロバッグ（尿放出用貯留袋）に設けられた所定長の柔らかい管体を接続し、このウロバッグから外部に放出廃棄する。
前記のパウチは、人体皮膚に常時接続し、その上に着衣がある。
例えば、パジャマの場合は、ウロバッグに接続するためには、パジャマのズボン部分をパウチが露出するまで下げてから行うことになる。尿は体温と同程度の温度を有し、これが人体の保温に役立つ面もあり、健常者ではパジャマを引き下げてもさほどの影響はないが、パウチ使用者の場合は尿による人体保温機能が少ないため、尿排出の回数が多くなり、寒さを余計に感じることとなる。
また、パウチは図に示すように、粘着部下方に貯留部分があるので、その位置保持の安定化が必要で、通常着衣時はその着衣下面に位置するが、パジャマ等のゆるい着衣の場合は安定化のための配慮が必要で、寝返りなどで位置不安定となる場合もあり、以上のような問題に対処しうる適切な手段が見当たらないのが現状である。
本案は以上に鑑み、パウチ保持に有効であるとともに尿廃棄に便利なる、新規かつ有用なる手段を提供することを目的として創案されたものである。
【課題を解決するための手段】
【０００４】  課題を解決する手段として本案は以下の構成とした。
すなわち、本案の第１は、ズボン形着衣の前面適所にスリットを斜方に設けたことを特徴とするパウチ保持機能を有する着衣である。本案の第２は、上記スリットを着衣正面視にて左寄りの位置に設けてなるパウチ保持機能を有する着衣である。
また、本案の第３は、上記スリットを着衣の水平方向に対し、正面視における側方に向かって１５度から２５度の範囲に設けてなるパウチ保持機能を有する着衣である。
【考案の効果】
【０００５】  本案は、下記の効果を有する。
１．スリットよりパウチ下部を露出させることができるので、尿廃棄の度にパジャマ等を下ろす必要がない。
２．パウチ下部管体部分が露出しているので、ウロバッグへの接続が容易となる。
３．スリットにてパウチ下部を保持するため、パウチ下部位置を安定させることができる。
４．製作が比較的容易であり、既存の着衣に加工して設けることができる。
【図面の簡単な説明】
【０００６】
【図１】  本考案の正面図
【図２】  本考案の背面図
【図３】  本考案の使用説明図
【図４】  本考案の要部拡大説明図
【図５】  本考案に用いるパウチの背面図
【図６】  本考案に用いるパウチの正面図
【考案を実施するための最良の形態】
【０００７】  以下、本考案の実施形態について説明する。
図において、１はパジャマ本体で、ズボン形状である。図１は前面視、、図２は背面視である。２はスリットで、長さ１６センチメートルで、パジャマズボン形部分の正面視に対して左寄りの位置に設ける。また、このスリットはパジャマ水平に対して側方上方に向けて約１８度の傾斜を有している。スリットは前面だけに設け、スリット縁部はかがり縫いされている。以上が、本案の一実施形態である。【０００８】  図５から図６は、市販のパウチである。このパウチは、軟質合成樹脂製袋体による主体１０の側面に通液孔１１を設け、この通液孔の回りにつば状の円形平シートに粘着層を設けた粘着部１２を有し、主体下部に排出管１３と、この排出管下端において排出管に対し適度の嵌合状態にて管端を塞ぐことができるキャップ１４と、このキャップと排出管との間を接続する柔軟性合成樹脂による接続部１５とを有して構成されている。【０００９】  パウチ使用に際しては、人体所定位置（通常は人体に向かって左方）にある露出腸管端に通液孔位置を合わせて、粘着部を人体に粘着させて用いる。
腸管端より随時漏出する尿はこのパウチに貯留される。一定量の貯留となればパウチ下端の管体にはまっているキャップを外して尿を廃棄する。
就寝時に用いるウロバッグは、軟質合成樹脂製の貯留袋に１２０センチメートルほどの軟質合成樹脂製チューブが接続されており、またこの貯留袋下部には、排出管が接続されており、適宜に貯留尿を廃棄することができる。【００１０】  本案の使用に際しては、図４にて示すように、人体に貼り付けているパウチの下部をスリットより露出させることにて、パウチ下部はスリットにてその位置保持がなされ、この露出状態が使用定常状態となる。従って、従来は貯留尿の排出に際しては、パウチ露出のためパジャマを下方にずり下げねばならなかったが、本案ではその必要はなく楽にウロバッグに接続して貯留尿を廃棄することができる。【００１１】  以上、本案について記したが、本案はスリットにてパウチ下部を露出させて、ウロバッグへの接続を容易にするとともに、パウチ位置の安定が得られるところにその特徴を有するものである。従来はこのような手段がなかったために、パジャマ等をずり下げねばならず不便であったが、本案にてこの問題が解消できるものとなったのである。
パウチは寝る際にウロバッグと接続するために、人体のやや右方よりに取り付けるために、本案ではスリットも右寄りに設けている。また、パウチはその内容物廃棄のため、やや傾けると都合がよく、そのためスリットに傾斜を設けている。【００１２】  パウチを本案使用により、その下部を５分の１程度スリットから出すことによって、健康なときと同じようにパジャマを着ることができるだけでなく、寝るときにウロバッグの接続がスムースとなり、また、パウチの５分の４がパジャマの下にあるために、パジャマの布が抑えになって、毛布やかけ布団を掛けても寝返りなどによるずれが抑止される。
なお、スリット角度は１５度から２５度の範囲として表現したが、好ましくは１８度から２２度の範囲である。また、例示ではパジャマを想定して説明したが、本案はこれに限らず、ブリーフ、トランクス等にも応用が可能である。以上のごとく、本案によってパウチ使用者にとって利便性の高い着衣を得ることができる。
【符号の説明】
【００１３】１    パジャマ本体
２    スリット
１０  主体
１１  通液孔
１２  粘着部
１３  排出管
１４  キャップ
１５  接続部
【図１】
0003208166.tif 000003
【図２】
0003208166.tif 000004
【図３】
0003208166.tif 000005
【図４】
0003208166.tif 000006
【図５】
0003208166.tif 000007
【図６】
0003208166.tif 000008